【手続補正書】
【提出日】平成16年5月26日(2004.5.26)
【手続補正１】
【補正対象書類名】明細書
【補正対象項目名】発明の名称
【補正方法】変更
【補正の内容】
【発明の名称】画像処理システム及び画像データの処理方法
【手続補正２】
【補正対象書類名】明細書
【補正対象項目名】請求項１
【補正方法】変更
【補正の内容】
【請求項１】
複数の印刷ジョブのデータを記憶可能な記憶手段を有する複数台の画像形成装置を含む画像処理システムであって、
印刷ジョブの印刷動作を該システムの複数台の画像形成装置で実行させる分散印刷処理を実行可能にし、且つ、印刷ジョブの印刷動作を該システムの１台の画像形成装置で実行可能にする為の、印刷制御手段と、
印刷処理が終了した複数のジョブの履歴情報を操作部に表示させる表示制御手段を有し、
前記表示制御手段は、
印刷処理が終了した該複数のジョブの履歴情報を、分散印刷処理がなされた印刷ジョブか１台の画像形成装置で印刷処理がなされた印刷ジョブかがユーザにより各ジョブ毎に識別できる状態で、前記操作部に表示させる、ことを特徴とする画像処理システム。
【手続補正３】
【補正対象書類名】明細書
【補正対象項目名】請求項２
【補正方法】変更
【補正の内容】
【請求項２】
複数の印刷ジョブのデータを記憶可能な記憶手段を有する複数台の画像形成装置を含む画像処理システムであって、
印刷ジョブの印刷動作を該システムの複数台の画像形成装置で実行させる分散印刷処理を実行可能にし、且つ、印刷ジョブの印刷動作を該システムの１台の画像形成装置で実行可能にする為の、印刷制御手段と、
印刷処理が終了した複数のジョブの履歴情報を操作部に表示させる表示制御手段を有し、
前記表示制御手段は、
印刷処理が終了したジョブの名称情報及びステータス情報及びジョブＩＤ情報及びシートサイズ情報及び出力部数情報及び印刷終了日時情報の少なくとも何れかの情報を含む、印刷処理が終了した複数のジョブの履歴情報を、分散印刷処理がなされた印刷ジョブか１台の画像形成装置で印刷処理がなされた印刷ジョブかがユーザにより各ジョブ毎に識別できる状態で、操作部に表示可能とする、ことを特徴とする画像処理システム。
【手続補正４】
【補正対象書類名】明細書
【補正対象項目名】請求項３
【補正方法】変更
【補正の内容】
【請求項３】
原稿読取装置から出力される印刷データ及び情報処理装置から出力される印刷データを記憶可能な記憶手段を有する複写機能及び印刷機能を具備する画像形成装置を含む複数台の画像形成装置を有する画像処理システムであって、
印刷ジョブの印刷動作を該システムの複数台の画像形成装置で実行させる分散印刷処理を実行可能にし、且つ、印刷ジョブの印刷動作を該システムの１台の画像形成装置で実行可能にする為の、印刷制御手段と、
印刷処理が終了した複数のジョブの履歴情報を操作部に表示させる表示制御手段を有し、
前記表示制御手段は、
印刷処理が終了した複数のジョブの履歴情報を、分散印刷処理がなされた印刷ジョブか１台の画像形成装置で印刷処理がなされた印刷ジョブかがユーザにより各ジョブ毎に識別できる状態で、操作部に表示可能とする、ことを特徴とする画像処理システム。
【手続補正５】
【補正対象書類名】明細書
【補正対象項目名】請求項４
【補正方法】変更
【補正の内容】
【請求項４】
複数の印刷ジョブのデータを記憶可能な記憶手段を有する複数台の画像形成装置を含む画像処理システムであって、
印刷ジョブの印刷動作を該システムの複数台の画像形成装置で実行させる分散印刷処理を実行可能にし、且つ、印刷ジョブの印刷動作を該システムの１台の画像形成装置で実行可能にする為の、印刷制御手段と、
前記複数台の画像形成装置の各画像形成装置毎の装備情報をユーザにより識別可能にする表示を操作部に実行可能にする表示制御手段と、を有し、
前記表示制御手段は、
前記複数台の画像形成装置の各画像形成装置毎の装置状態をユーザにより識別可能にする表示を前記操作部に実行可能にし、且つ、
印刷処理が終了していない複数のジョブのステータスを各ジョブ毎にユーザにより識別可能にする表示を前記操作部に実行可能にし、且つ、
印刷処理が終了した複数のジョブの履歴情報を、分散印刷処理がなされた印刷ジョブか１台の画像形成装置で印刷処理がなされた印刷ジョブかがユーザにより各ジョブ毎に識別できる状態で、前記操作部に表示可能とする、ことを特徴とする画像処理システム。
【手続補正６】
【補正対象書類名】明細書
【補正対象項目名】請求項５
【補正方法】変更
【補正の内容】
【請求項５】
複数の印刷ジョブのデータを記憶可能な記憶手段を有する複数台の画像形成装置を含む画像処理システムの画像データの処理方法であって、
印刷ジョブの印刷動作を該システムの複数台の画像形成装置で実行させる分散印刷処理を実行可能にし、且つ、
印刷ジョブの印刷動作を該システムの１台の画像形成装置で実行可能にし、
印刷処理が終了した複数のジョブの履歴情報を、分散印刷処理がなされた印刷ジョブか１台の画像形成装置で印刷処理がなされた印刷ジョブかがユーザにより各ジョブ毎に識別できる状態で、操作部に表示可能とする、ことを特徴とする画像データの処理方法。
【手続補正７】
【補正対象書類名】明細書
【補正対象項目名】請求項６
【補正方法】変更
【補正の内容】
【請求項６】
複数の印刷ジョブのデータを記憶可能な記憶手段を有する複数台の画像形成装置を含む画像処理システムの画像データの処理方法であって、
印刷ジョブの印刷動作を該システムの複数台の画像形成装置で実行させる分散印刷処理を実行可能にし、且つ、
印刷ジョブの印刷動作を該システムの１台の画像形成装置で実行可能にし、
印刷処理が終了したジョブの名称情報及びステータス情報及びジョブＩＤ情報及びシートサイズ情報及び出力部数情報及び印刷終了日時情報の少なくとも何れかの情報を含む、印刷処理が終了した複数のジョブの履歴情報を、分散印刷処理がなされた印刷ジョブか１台の画像形成装置で印刷処理がなされた印刷ジョブかがユーザにより各ジョブ毎に識別できる状態で、操作部に表示可能とする、ことを特徴とする画像データの処理方法。
【手続補正８】
【補正対象書類名】明細書
【補正対象項目名】請求項７
【補正方法】変更
【補正の内容】
【請求項７】
原稿読取装置から出力される印刷データ及び情報処理装置から出力される印刷データを記憶可能な記憶手段を有する複写機能及び印刷機能を具備する画像形成装置を含む複数台の画像形成装置を有する画像処理システムの画像データの処理方法であって、
印刷ジョブの印刷動作を該システムの複数台の画像形成装置で実行させる分散印刷処理を実行可能にし、且つ、
印刷ジョブの印刷動作を該システムの１台の画像形成装置で実行可能にし、
印刷処理が終了した複数のジョブの履歴情報を、分散印刷処理がなされた印刷ジョブか１台の画像形成装置で印刷処理がなされた印刷ジョブかがユーザにより各ジョブ毎に識別できる状態で、操作部に表示可能とする、ことを特徴とする画像データの処理方法。
【手続補正９】
【補正対象書類名】明細書
【補正対象項目名】請求項８
【補正方法】変更
【補正の内容】
【請求項８】
複数の印刷ジョブのデータを記憶可能な記憶手段を有する複数台の画像形成装置を含む画像処理システムの画像データの処理方法であって、
印刷ジョブの印刷動作を該システムの複数台の画像形成装置で実行させる分散印刷処理を実行可能にし、且つ、
印刷ジョブの印刷動作を該システムの１台の画像形成装置で実行可能にし、
前記複数台の画像形成装置の各画像形成装置毎の装備情報をユーザにより識別可能にする表示を操作部に実行可能にし、且つ、
前記複数台の画像形成装置の各画像形成装置毎の装置状態をユーザにより識別可能にする表示を前記操作部に実行可能にし、且つ、
印刷処理が終了していない複数のジョブのステータスを各ジョブ毎にユーザにより識別可能にする表示を前記操作部に実行可能にし、且つ、
印刷処理が終了した複数のジョブの履歴情報を、分散印刷処理がなされた印刷ジョブか１台の画像形成装置で印刷処理がなされた印刷ジョブかがユーザにより各ジョブ毎に識別できる状態で、前記操作部に表示可能とする、ことを特徴とする画像データの処理方法。
【手続補正１０】
【補正対象書類名】明細書
【補正対象項目名】請求項９
【補正方法】変更
【補正の内容】
【請求項９】
更に、分散印刷中の印刷ジョブのステータス情報をユーザにより識別可能にする表示を前記操作部に実行可能にすることを特徴とする請求項５乃至８のいずれかに記載の画像データの処理方法。
【手続補正１１】
【補正対象書類名】明細書
【補正対象項目名】請求項１０
【補正方法】変更
【補正の内容】
【請求項１０】
分散印刷処理として、
印刷ジョブの印刷部数に基づいて複数台の画像形成装置で分散印刷させる部数分割方式と、印刷ジョブのページ数に基づいて複数台の画像形成装置で分散印刷させるページ分割方式と、カラーデータと白黒データが混在する印刷ジョブを複数台の画像形成装置で分散印刷させる方式、のうちの、少なくとも何れかの方式で分散印刷を可能にすることを特徴とする請求項５乃至９の何れかに記載の画像データの処理方法。
【手続補正１２】
【補正対象書類名】明細書
【補正対象項目名】０００１
【補正方法】変更
【補正の内容】
【０００１】
【発明の属する技術分野】
本発明は画像処理システム及び画像データの処理方法に関し、より詳しくはネットワーク上に接続された複数台の画像形成装置の中から少なくとも２台以上の画像形成装置に対し１個の画像データ群（印刷ジョブ）を並列的に出力指令を発するように指令する画像処理装置と該画像処理装置に画像処理を要求する情報処理装置とプリンタ等の画像形成装置とがネットワークを介して互いに接続された画像処理システムと、前記画像処理装置を使用して画像データを処理する画像データの処理方法に関する。
【手続補正１３】
【補正対象書類名】明細書
【補正対象項目名】０００７
【補正方法】変更
【補正の内容】
【０００７】
本発明はこのような問題点に鑑みなされたものであって、印刷ジョブと各画像形成装置の状態を把握しつつ大量の印刷ジョブを効率良く印刷出力することのできる画像処理システム及び画像データの処理方法を提供することを目的とする。
【手続補正１４】
【補正対象書類名】明細書
【補正対象項目名】０００８
【補正方法】削除
【補正の内容】
【手続補正１５】
【補正対象書類名】明細書
【補正対象項目名】０００９
【補正方法】変更
【補正の内容】
【０００９】
請求項１記載の画像処理システムは、複数の印刷ジョブのデータを記憶可能な記憶手段を有する複数台の画像形成装置を含む画像処理システムであって、印刷ジョブの印刷動作を該システムの複数台の画像形成装置で実行させる分散印刷処理を実行可能にし、且つ、印刷ジョブの印刷動作を該システムの１台の画像形成装置で実行可能にする為の、印刷制御手段と、印刷処理が終了した複数のジョブの履歴情報を操作部に表示させる表示制御手段を有し、前記表示制御手段は、印刷処理が終了した該複数のジョブの履歴情報を、分散印刷処理がなされた印刷ジョブか１台の画像形成装置で印刷処理がなされた印刷ジョブかがユーザにより各ジョブ毎に識別できる状態で、前記操作部に表示させる、ことを特徴としている。
請求項２記載の画像処理システムは、複数の印刷ジョブのデータを記憶可能な記憶手段を有する複数台の画像形成装置を含む画像処理システムであって、印刷ジョブの印刷動作を該システムの複数台の画像形成装置で実行させる分散印刷処理を実行可能にし、且つ、印刷ジョブの印刷動作を該システムの１台の画像形成装置で実行可能にする為の、印刷制御手段と、印刷処理が終了した複数のジョブの履歴情報を操作部に表示させる表示制御手段を有し、前記表示制御手段は、印刷処理が終了したジョブの名称情報及びステータス情報及びジョブＩＤ情報及びシートサイズ情報及び出力部数情報及び印刷終了日時情報の少なくとも何れかの情報を含む、印刷処理が終了した複数のジョブの履歴情報を、分散印刷処理がなされた印刷ジョブか１台の画像形成装置で印刷処理がなされた印刷ジョブかがユーザにより各ジョブ毎に識別できる状態で、操作部に表示可能とする、ことを特徴としている。
請求項３記載の画像処理システムは、原稿読取装置から出力される印刷データ及び情報処理装置から出力される印刷データを記憶可能な記憶手段を有する複写機能及び印刷機能を具備する画像形成装置を含む複数台の画像形成装置を有する画像処理システムであって、印刷ジョブの印刷動作を該システムの複数台の画像形成装置で実行させる分散印刷処理を実行可能にし、且つ、印刷ジョブの印刷動作を該システムの１台の画像形成装置で実行可能にする為の、印刷制御手段と、印刷処理が終了した複数のジョブの履歴情報を操作部に表示させる表示制御手段を有し、前記表示制御手段は、印刷処理が終了した複数のジョブの履歴情報を、分散印刷処理がなされた印刷ジョブか１台の画像形成装置で印刷処理がなされた印刷ジョブかがユーザにより各ジョブ毎に識別できる状態で、操作部に表示可能とする、ことを特徴としている。
請求項４記載の画像処理システムは、複数の印刷ジョブのデータを記憶可能な記憶手段を有する複数台の画像形成装置を含む画像処理システムであって、印刷ジョブの印刷動作を該システムの複数台の画像形成装置で実行させる分散印刷処理を実行可能にし、且つ、印刷ジョブの印刷動作を該システムの１台の画像形成装置で実行可能にする為の、印刷制御手段と、前記複数台の画像形成装置の各画像形成装置毎の装備情報をユーザにより識別可能にする表示を操作部に実行可能にする表示制御手段と、を有し、前記表示制御手段は、前記複数台の画像形成装置の各画像形成装置毎の装置状態をユーザにより識別可能にする表示を前記操作部に実行可能にし、且つ、印刷処理が終了していない複数のジョブのステータスを各ジョブ毎にユーザにより識別可能にする表示を前記操作部に実行可能にし、且つ、印刷処理が終了した複数のジョブの履歴情報を、分散印刷処理がなされた印刷ジョブか１台の画像形成装置で印刷処理がなされた印刷ジョブかがユーザにより各ジョブ毎に識別できる状態で、前記操作部に表示可能とする、ことを特徴としている。
【手続補正１６】
【補正対象書類名】明細書
【補正対象項目名】００１０
【補正方法】変更
【補正の内容】
【００１０】
また、請求項５記載の画像データの処理方法は、複数の印刷ジョブのデータを記憶可能な記憶手段を有する複数台の画像形成装置を含む画像処理システムの画像データの処理方法であって、印刷ジョブの印刷動作を該システムの複数台の画像形成装置で実行させる分散印刷処理を実行可能にし、且つ、印刷ジョブの印刷動作を該システムの１台の画像形成装置で実行可能にし、印刷処理が終了した複数のジョブの履歴情報を、分散印刷処理がなされた印刷ジョブか１台の画像形成装置で印刷処理がなされた印刷ジョブかがユーザにより各ジョブ毎に識別できる状態で、操作部に表示可能とする、ことを特徴としている。
請求項６記載の画像データの処理方法は、複数の印刷ジョブのデータを記憶可能な記憶手段を有する複数台の画像形成装置を含む画像処理システムの画像データの処理方法であって、印刷ジョブの印刷動作を該システムの複数台の画像形成装置で実行させる分散印刷処理を実行可能にし、且つ、印刷ジョブの印刷動作を該システムの１台の画像形成装置で実行可能にし、印刷処理が終了したジョブの名称情報及びステータス情報及びジョブＩＤ情報及びシートサイズ情報及び出力部数情報及び印刷終了日時情報の少なくとも何れかの情報を含む、印刷処理が終了した複数のジョブの履歴情報を、分散印刷処理がなされた印刷ジョブか１台の画像形成装置で印刷処理がなされた印刷ジョブかがユーザにより各ジョブ毎に識別できる状態で、操作部に表示可能とする、ことを特徴としている。
請求項７記載の画像データの処理方法は、原稿読取装置から出力される印刷データ及び情報処理装置から出力される印刷データを記憶可能な記憶手段を有する複写機能及び印刷機能を具備する画像形成装置を含む複数台の画像形成装置を有する画像処理システムの画像データの処理方法であって、印刷ジョブの印刷動作を該システムの複数台の画像形成装置で実行させる分散印刷処理を実行可能にし、且つ、印刷ジョブの印刷動作を該システムの１台の画像形成装置で実行可能にし、印刷処理が終了した複数のジョブの履歴情報を、分散印刷処理がなされた印刷ジョブか１台の画像形成装置で印刷処理がなされた印刷ジョブかがユーザにより各ジョブ毎に識別できる状態で、操作部に表示可能とする、ことを特徴としている。
請求項８記載の画像データの処理方法は、複数の印刷ジョブのデータを記憶可能な記憶手段を有する複数台の画像形成装置を含む画像処理システムの画像データの処理方法であって、印刷ジョブの印刷動作を該システムの複数台の画像形成装置で実行させる分散印刷処理を実行可能にし、且つ、印刷ジョブの印刷動作を該システムの１台の画像形成装置で実行可能にし、前記複数台の画像形成装置の各画像形成装置毎の装備情報をユーザにより識別可能にする表示を操作部に実行可能にし、且つ、前記複数台の画像形成装置の各画像形成装置毎の装置状態をユーザにより識別可能にする表示を前記操作部に実行可能にし、且つ、印刷処理が終了していない複数のジョブのステータスを各ジョブ毎にユーザにより識別可能にする表示を前記操作部に実行可能にし、且つ、印刷処理が終了した複数のジョブの履歴情報を、分散印刷処理がなされた印刷ジョブか１台の画像形成装置で印刷処理がなされた印刷ジョブかがユーザにより各ジョブ毎に識別できる状態で、前記操作部に表示可能とする、ことを特徴としている。
【手続補正１７】
【補正対象書類名】明細書
【補正対象項目名】０１６３
【補正方法】変更
【補正の内容】
【０１６３】
【発明の効果】
以上詳述したように請求項１、５記載の本発明によれば、複数の印刷ジョブのデータを記憶可能な記憶手段を有する複数台の画像形成装置を含む画像処理システムにおいて、印刷ジョブの印刷動作を該システムの複数台の画像形成装置で実行させる分散印刷処理を実行でき、且つ、印刷ジョブの印刷動作を該システムの１台の画像形成装置で実行でき、印刷処理が終了した複数のジョブの履歴情報を操作部に表示する場合において、印刷処理が終了した複数のジョブの履歴情報を、分散印刷処理がなされた印刷ジョブか１台の画像形成装置で印刷処理がなされた印刷ジョブかがユーザにより各ジョブ毎に識別できる状態で、前記操作部に表示させることができる。
請求項２、６記載の本発明によれば、複数の印刷ジョブのデータを記憶可能な記憶手段を有する複数台の画像形成装置を含む画像処理システムにおいて、印刷ジョブの印刷動作を該システムの複数台の画像形成装置で実行させる分散印刷処理を実行でき、且つ、印刷ジョブの印刷動作を該システムの１台の画像形成装置で実行でき、印刷処理が終了したジョブの名称情報及びステータス情報及びジョブＩＤ情報及びシートサイズ情報及び出力部数情報及び印刷終了日時情報の少なくとも何れかの情報を含む、印刷処理が終了した複数のジョブの履歴情報を、分散印刷処理がなされた印刷ジョブか１台の画像形成装置で印刷処理がなされた印刷ジョブかがユーザにより各ジョブ毎に識別できる状態で、操作部に表示させることが出来る。
請求項３、７記載の本発明によれば、原稿読取装置から出力される印刷データ及び情報処理装置から出力される印刷データを記憶可能な記憶手段を有する複写機能及び印刷機能を具備する画像形成装置を含む複数台の画像形成装置を有する画像処理システムにて、印刷ジョブの印刷動作を該システムの複数台の画像形成装置で実行させる分散印刷処理を実行でき、且つ、印刷ジョブの印刷動作を該システムの１台の画像形成装置で実行でき、印刷処理が終了した複数のジョブの履歴情報を操作部に表示させる場合に、印刷処理が終了した複数のジョブの履歴情報を、分散印刷処理がなされた印刷ジョブか１台の画像形成装置で印刷処理がなされた印刷ジョブかがユーザにより各ジョブ毎に識別できる状態で、操作部に表示させることが出来る。
請求項４、８記載の本発明によれば、複数の印刷ジョブのデータを記憶可能な記憶手段を有する複数台の画像形成装置を含む画像処理システムにて、印刷ジョブの印刷動作を該システムの複数台の画像形成装置で実行させる分散印刷処理を実行でき、且つ、印刷ジョブの印刷動作を該システムの１台の画像形成装置で実行でき、前記複数台の画像形成装置の各画像形成装置毎の装備情報をユーザにより識別可能にする表示を操作部に実行でき、前記複数台の画像形成装置の各画像形成装置毎の装置状態をユーザにより識別可能にする表示を前記操作部に実行でき、且つ、印刷処理が終了していない複数のジョブのステータスを各ジョブ毎にユーザにより識別可能にする表示を前記操作部に実行でき、且つ、印刷処理が終了した複数のジョブの履歴情報を、分散印刷処理がなされた印刷ジョブか１台の画像形成装置で印刷処理がなされた印刷ジョブかがユーザにより各ジョブ毎に識別できる状態で、前記操作部に表示できる。
又、請求項１１、２４記載の本発明によれば、１個の画像データ群を２台以上の画像形成装置に分散して並列的に処理する場合であっても、ユーザは可視表示手段で画像データ群の各種状態（ステータス）を目視で監視することが可能となり、分散処理された画像データ群と分散処理されなかった画像データ群との区別を容易に行うことができる。
従って、印刷処理後の作業効率が低下するのを回避することができる。